(57)【要約】【課題】画像を取り扱うジョブのログをユーザにとって従来よりも便利に確認できるようにする。【解決手段】ネットワークシステムＳＹに、画像形成装置１、ジョブ属性ログサーバ２、およびジョブ画像ログサーバ３を設ける。画像形成装置１は、ジョブに係る画像の画像データを、このジョブの識別子と対応付けてジョブ属性ログサーバ２に保存させ、このジョブに係る属性情報の属性データを、このジョブの識別子と対応付けてジョブ画像ログサーバ３に保存させる。ジョブ画像ログサーバ３は、ジョブに係る画像および属性情報を、両者が対応することが分かる形態で、ジョブ画像ログサーバ３に保存されているこの画像の画像データおよびジョブ属性ログサーバ２に保存されているこの属性情報の属性データに基づいて表示する。【選択図】図１
2010267066.tif 000002
【特許請求の範囲】
【請求項１】
画像処理装置と、前記画像処理装置が実行したジョブの属性に関する属性情報を示す属性データを保存する属性データ保存手段と、前記ジョブで取り扱われた画像を再現するための画像データを保存する画像データ保存手段と、表示手段と、を有するログ管理システムであって、
前記画像処理装置は、
前記ジョブに係る前記画像の前記画像データを、当該ジョブの識別子と対応付けて前記画像データ保存手段に保存させる画像データ保存処理手段と、
前記ジョブに係る前記属性情報の前記属性データを、当該ジョブの前記識別子と対応付けて前記属性データ保存手段に保存させる属性データ保存処理手段と、を有し、
前記表示手段は、前記ジョブに係る前記画像および前記属性情報を、両者が対応することが分かる形態で、前記画像データ保存手段に保存されている当該画像の前記画像データおよび前記属性データ保存手段に保存されている当該属性情報の前記属性データに基づいて表示する、
ことを特徴とするログ管理システム。
【請求項２】
前記表示手段は、前記ジョブに係る前記画像と当該画像に対応するボタンとを一緒に表示し、かつ、当該ボタンが押された場合に当該ジョブに係る前記属性情報を表示する、
請求項１記載のログ管理システム。
【請求項３】
前記属性データ保存手段は、前記画像処理装置および前記表示手段が備えられた第二の装置それぞれと通信回線を介して接続可能な第三の装置に設けられており、
前記第二の装置は、
前記表示手段によって前記画像が表示される前記ジョブに係る前記属性情報の前記属性データを前記第三の装置に対して要求し取得する属性データ取得手段、を有し、
前記第三の装置は、
前記第二の装置から要求された前記属性データが前記属性データ保存手段に未だ保存されていない場合に、前記画像処理装置に対して当該属性データを要求する属性データ要求手段、を有し、
前記画像データ保存処理手段は、前記ジョブが実行されるごとに、当該ジョブに係る前記画像の前記画像データを前記画像データ保存手段に保存させ、
前記属性データ保存処理手段は、所定の期間に実行された前記ジョブそれぞれに係る前記属性情報の前記属性データを纏めて前記属性データ保存手段に保存させ、かつ、前記第二の装置から要求された前記属性データを前記属性データ保存手段に保存させ、
前記表示手段は、表示させる前記画像が取り扱われた前記ジョブに係る前記属性情報の前記属性データが未だ取得されていない場合は、当該画像に対応する前記ボタンを非表示にしまたは選択不能な形態で表示し、その後、当該属性データが取得されたら、当該ボタンを選択可能な形態で表示する、
請求項２記載のログ管理システム。
【請求項４】
画像処理装置が実行したジョブの属性に関する属性情報を示す属性データを当該ジョブの識別子と対応付けて保存する属性データ保存手段と、前記ジョブで取り扱われた画像を再現するための画像データを当該ジョブの前記識別子と対応付けて保存する画像データ保存手段と、にアクセス可能な表示システムであって、
前記ジョブに係る前記画像の前記画像データおよび前記属性情報の前記属性データを、それぞれ、前記画像データおよび前記属性データ保存手段から取得するデータ取得手段と、
前記ジョブに係る前記画像および前記属性情報を、両者が対応することが分かる形態で、前記データ取得手段によって取得された当該画像の前記画像データおよび当該属性情報の前記属性データに基づいて表示する、表示手段と、
を有することを特徴とする表示システム。
【請求項５】
画像処理装置が実行したジョブのログを管理するログ管理方法であって、
当該画像処理装置に、
前記ジョブの属性に関する属性情報を示す属性データを当該ジョブの識別子と対応付けて属性データ保存手段に保存する処理を実行させ、
前記ジョブで取り扱われた画像を再現するための画像データを当該ジョブの前記識別子と対応付けて画像データ保存手段に保存する処理を実行させ、
表示装置に、
前記ジョブに係る前記画像および前記属性情報を、両者が対応することが分かる形態で、前記画像データ保存手段に保存されている当該画像の前記画像データおよび前記属性データ保存手段に保存されている当該属性情報の前記属性データに基づいて表示させる、
ことを特徴とするログ管理方法。
【請求項６】
画像処理装置が実行したジョブの属性に関する属性情報を示す属性データを当該ジョブの識別子と対応付けて保存する属性データ保存手段と、前記ジョブで取り扱われた画像を再現するための画像データを当該ジョブの前記識別子と対応付けて保存する画像データ保存手段と、にアクセス可能であるコンピュータに用いられる、コンピュータプログラムであって、
前記コンピュータに、
前記ジョブに係る前記画像の前記画像データおよび前記属性情報の前記属性データをそれぞれ前記画像データおよび前記属性データ保存手段から取得する処理を実行させ、
前記ジョブに係る前記画像および前記属性情報を、両者が対応することが分かる形態で、前記データ取得手段によって取得された当該画像の前記画像データおよび当該属性情報の前記属性データに基づいて表示する処理を実行させる、
ことを特徴とするコンピュータプログラム。
【発明の詳細な説明】
【技術分野】
【０００１】
本発明は、ＭＦＰ（Multi Function Peripherals）などの画像処理装置が実行したジョブのログを管理する技術に関する。
【背景技術】
【０００２】
近年、「複合機」または「ＭＦＰ」などと呼ばれる、コピー、ネットワークプリンティング（ＰＣプリント）、ファックス、およびスキャナなどの機能を集約した画像処理装置が、役所および企業などのオフィスに普及している。画像処理装置のほかにも、電子メールサーバ、ファイルサーバ、およびプロキシサーバなど、様々な装置がオフィスに設けられている。
【０００３】
オフィスにおいては、誰がどのようなジョブを装置に実行させたのかを監視しなければならないことが、しばしばある。そこで、特許文献１、２には、監視または監査のための次のようなシステムが開示されている。
【０００４】
特許文献１に開示される不正アクセス監査システムは、医用装置および医用情報システムの少なくとも一方に保存された監査ログを取得する監査ログ取得部と、監査ログ取得部により取得された監査ログを解析し、所望の対象を集計することにより解析結果を得る監査ログ解析部と、監査ログ解析部により得られた解析結果を表示装置に表示させるための解析結果情報を作成する解析結果情報作成部とを有する。
【０００５】
特許文献２に開示されるサーバシステムは、サーバ装置と該サーバ装置の特定のモードにログイン可能な端末装置とを備える。前記端末装置は、前記サーバ装置の特定のモードにログインしている状態で、サーバ装置に向けて定期的に接続確認信号を発信する発信手段を備えている。前記サーバ装置は、前記端末装置から発信される前記接続確認信号の有無を監視する監視手段と、前記監視手段により、前記接続確認信号が一定時間検出されなかった場合には、強制ログアウト処理を行う制御手段を備えている。
【先行技術文献】
【特許文献】
【０００６】
【特許文献１】特開２００６−１９５６３４号公報
【特許文献２】特開２００６−２７７５８５号公報
【発明の概要】
【発明が解決しようとする課題】
【０００７】
ところで、画像処理装置は、ジョブを実行する際に画像を取り扱うことが多い。したがって、ジョブの実行のログをより確実に記録するためには、ジョブの実行の日時および指令者などの属性を示すデータだけでなく、取り扱った画像を再現するための画像データをも保存しておくことが望ましい。
【０００８】
画像処理装置には近年、ハードディスクなどの大容量の記憶装置が内蔵されている。ところが、ログのデータを内蔵の記憶装置に保存するよりも、サーバの記憶装置に保存するほうが望ましい。なぜなら、本来の目的である画像処理が画像処理装置において円滑に実行されるようにするためである。また、オフィスに複数台の画像処理装置が設けられている場合は、サーバの記憶装置に保存することによって一元的に容易に管理できるからである。
【０００９】
しかし、ジョブの属性を示すデータおよびジョブで取り扱った画像の画像データをサーバの記憶装置に単に保存しておくだけでは、後にユーザがログを確認する際に、あまり便利ではない。
【００１０】
本発明は、このような問題点に鑑み、画像を取り扱うジョブのログをユーザにとって従来よりも便利に確認できるようにすることを、目的とする。
【課題を解決するための手段】
【００１１】
本発明の一形態に係るログ管理システムは、画像処理装置と、前記画像処理装置が実行したジョブの属性に関する属性情報を示す属性データを保存する属性データ保存手段と、前記ジョブで取り扱われた画像を再現するための画像データを保存する画像データ保存手段と、表示手段と、を有するログ管理システムであって、前記画像処理装置は、前記ジョブに係る前記画像の前記画像データを、当該ジョブの識別子と対応付けて前記画像データ保存手段に保存させる画像データ保存処理手段と、前記ジョブに係る前記属性情報の前記属性データを、当該ジョブの前記識別子と対応付けて前記属性データ保存手段に保存させる属性データ保存処理手段と、を有し、前記表示手段は、前記ジョブに係る前記画像および前記属性情報を、両者が対応することが分かる形態で、前記画像データ保存手段に保存されている当該画像の前記画像データおよび前記属性データ保存手段に保存されている当該属性情報の前記属性データに基づいて表示する。
【００１２】
好ましくは、前記表示手段は、前記ジョブに係る前記画像と当該画像に対応するボタンとを一緒に表示し、かつ、当該ボタンが押された場合に当該ジョブに係る前記属性情報を表示する。
【００１３】
または、前記属性データ保存手段は、前記画像処理装置および前記表示手段が備えられた第二の装置それぞれと通信回線を介して接続可能な第三の装置に設けられており、前記第二の装置は、前記表示手段によって前記画像が表示される前記ジョブに係る前記属性情報の前記属性データを前記第三の装置に対して要求し取得する属性データ取得手段、を有し、前記第三の装置は、前記第二の装置から要求された前記属性データが前記属性データ保存手段に未だ保存されていない場合に、前記画像処理装置に対して当該属性データを要求する属性データ要求手段、を有し、前記画像データ保存処理手段は、前記ジョブが実行されるごとに、当該ジョブに係る前記画像の前記画像データを前記画像データ保存手段に保存させ、前記属性データ保存処理手段は、所定の期間に実行された前記ジョブそれぞれに係る前記属性情報の前記属性データを纏めて前記属性データ保存手段に保存させ、かつ、前記第二の装置から要求された前記属性データを前記属性データ保存手段に保存させ、前記表示手段は、表示させる前記画像が取り扱われた前記ジョブに係る前記属性情報の前記属性データが未だ取得されていない場合は、当該画像に対応する前記ボタンを非表示にしまたは選択不能な形態で表示し、その後、当該属性データが取得されたら、当該ボタンを選択可能な形態で表示する。
【発明の効果】
【００１４】
本発明によると、ユーザは、画像を取り扱うジョブのログを従来よりも便利に確認することができる。
【図面の簡単な説明】
【００１５】
【図１】ネットワークシステムの全体的な構成の例を示す図である。
【図２】画像形成装置のハードウェア構成の例を示す図である。
【図３】画像形成装置の機能的構成の例を示す図である。
【図４】ジョブ属性ログサーバのハードウェア構成の例を示す図である。
【図５】ジョブ属性ログサーバの機能的構成の例を示す図である。
【図６】ジョブ画像ログサーバの機能的構成の例を示す図ある。
【図７】属性ログデータおよび画像ログデータのやり取りの例を示す図である。
【図８】属性ログデータに記載される属性情報の例を示す図である。
【図９】画像一覧画面の例を示す図である。
【図１０】詳細ログ画面の例を示す図である。
【図１１】画像形成装置の全体的な処理の流れの例を説明するためのフローチャートである。
【図１２】ジョブ属性ログサーバの全体的な処理の流れの例を説明するためのフローチャートである。
【図１３】ジョブ画像ログサーバの全体的な処理の流れの例を説明するためのフローチャートである。
【発明を実施するための形態】
【００１６】
以下、本発明の実施例の１つを、図面を参照しながら説明する。
【００１７】
図１はネットワークシステムＳＹの全体的な構成の例を示す図、図２は画像形成装置１のハードウェア構成の例を示す図、図３は画像形成装置１の機能的構成の例を示す図、図４はジョブ属性ログサーバ２のハードウェア構成の例を示す図、図５はジョブ属性ログサーバ２の機能的構成の例を示す図、図６はジョブ画像ログサーバ３の機能的構成の例を示す図ある。
【００１８】
図１に示すように、ネットワークシステムＳＹは、複数台の画像形成装置１、ジョブ属性ログサーバ２、ジョブ画像ログサーバ３、パーソナルコンピュータ４、および通信回線５などによって構成される。
【００１９】
ネットワークシステムＳＹは、役所または企業などの組織の建物に設けられ、その組織のメンバによって使用される。以下、ある組織において使用されるネットワークシステムＳＹを例に説明する。その組織のメンバを「ユーザ」と記載する。ユーザには、１人ずつ１つのユニークなユーザＩＤ（identification）が与えられている。
【００２０】
各画像形成装置１、ジョブ属性ログサーバ２、ジョブ画像ログサーバ３、およびパーソナルコンピュータ４は、通信回線５を介して互いに接続可能である。通信回線５として、いわゆるＬＡＮ（Local Area Network）回線、インターネット、公衆回線、または専用線などが用いられる。
【００２１】
画像形成装置１は、一般に複合機またはＭＦＰ（Multi Function Peripherals）などと呼ばれる画像処理装置であって、コピー、ＰＣプリント（ネットワークプリンティング）、ファックス、スキャナ、ボックス、および電子メールなどの機能を集約した装置である。
【００２２】
「ＰＣプリント機能」とは、パーソナルコンピュータ４からの指令に基づいて画像を用紙に印刷する機能である。「ボックス」機能とは、ユーザごとに「ボックス」または「パーソナルボックス」などと呼ばれる記憶領域を与えておき、各ユーザが自分の記憶領域によって画像ファイルなどのドキュメントデータを保存し管理するための機能である。ボックスは、パーソナルコンピュータにおける「フォルダ」または「ディレクトリ」に相当する。
【００２３】
画像形成装置１は、コピー、スキャン、およびＰＣプリントなどのジョブを実行するごとに、属性ログデータ６１および画像ログデータ６２を生成する。
【００２４】
属性ログデータ６１は、そのジョブを実行させたユーザのユーザＩＤおよびそのジョブを実行した日時など、そのジョブの属性に関する情報が示される。画像ログデータ６２は、そのジョブで取り扱った画像の画像データである。属性ログデータ６１および画像ログデータ６２については、後に詳細に説明する。以下、各画像形成装置１を「画像形成装置１１」、「画像形成装置１２」、「画像形成装置１３」、…と区別して記載することがある。
【００２５】
ジョブ属性ログサーバ２は、各画像形成装置１で生成された属性ログデータ６１を一元的に管理する。
【００２６】
ジョブ画像ログサーバ３は、各画像形成装置１で生成された画像ログデータ６２を一元的に管理する。
【００２７】
パーソナルコンピュータ４は、ユーザが画像を作成したり編集したりするために用いられるほか、ユーザが過去のジョブの属性ログデータ６１および画像ログデータ６２の内容を確認するために用いられる。
【００２８】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、大容量記憶装置１０ｄ、スキャナ１０ｅ、印刷装置１０ｆ、ネットワークインタフェース１０ｇ、タッチパネル１０ｈ、およびモデム１０ｉのほか、制御用回路などによって構成される。
【００２９】
スキャナ１０ｅは、原稿の用紙に記されている写真、文字、絵、図表などの画像を読み取って画像データを生成する装置である。
【００３０】
印刷装置１０ｆは、スキャナ１０ｅによって読み取られた画像または他の装置から受信した画像データに示される画像を印刷する。
【００３１】
タッチパネル１０ｈは、ユーザに対してメッセージまたは指示を与えるための画面、ユーザが処理の指令および条件を入力するための画面、およびＣＰＵ１０ａの処理の結果を示す画面などを表示する。また、ユーザが指で触れた位置を検知し、検知結果を示す信号をＣＰＵ１０ａに送信する。
【００３２】
ネットワークインタフェース１０ｇは、通信回線５を介してジョブ属性ログサーバ２およびジョブ画像ログサーバ３などの他の装置と通信を行うためのＮＩＣ（Network Interface Card）である。
【００３３】
モデム１０ｉは、固定電話網を介して他のファックス端末との間でＧ３などのプロトコルで画像データをやり取りするための装置である。
【００３４】
ＲＯＭ１０ｃまたは大容量記憶装置１０ｄには、図３に示すような属性ログデータ生成部１０１、画像ログデータ生成部１０２、属性ログデータ保存部１０３、属性ログデータ送信部１０４、および画像ログデータ送信部１０５などを実現するためのプログラムが記憶されている。これらのプログラムは、必要に応じてＲＡＭ１０ｂにロードされ、ＣＰＵ１０ａによって実行される。大容量記憶装置１０ｄとして、ハードディスクまたはフラッシュメモリなどが用いられる。
【００３５】
図３に示す各部の機能の全部または一部を回路などのハードウェアのみによって実現してもよい。
【００３６】
ジョブ属性ログサーバ２は、図４に示すように、サーバ本体２０、ディスプレイ２１、および入力装置２２などによって構成される。
【００３７】
サーバ本体２０は、ＣＰＵ２０ａ、ＲＡＭ２０ｂ、ＲＯＭ２０ｃ、ハードディスク２０ｄ、グラフィックボード２０ｅ、入出力インタフェース２０ｆ、およびネットワークインタフェース２０ｇなどによって構成される。
【００３８】
ディスプレイ２１はグラフィックボード２０ｅに繋がれており、入力装置２２は入出力インタフェース２０ｆに繋がれている。
【００３９】
グラフィックボード２０ｅは、グラフィックアクセラレータであって、ディスプレイ２１に画面を表示させるための処理を行う。
【００４０】
入出力インタフェース２０ｆは、入力装置２２からの信号を受け付ける。入力装置２２として、キーボードおよびマウスなどが用いられる。
【００４１】
ネットワークインタフェース２０ｇは、通信回線５を介してジョブ画像ログサーバ３などの他の装置と通信を行うためのＮＩＣである。
【００４２】
ハードディスク２０ｄには、図５に示すような属性ログデータ受信部２０１、属性ログデータ保存部２０２、属性ログデータ配信部２０３、および属性ログデータ要求部２０４などを実現するためのプログラムが記憶されている。これらのプログラムは、必要に応じてＲＡＭ２０ｂにロードされ、ＣＰＵ２０ａによって実行される。
【００４３】
ジョブ画像ログサーバ３は、ジョブ属性ログサーバ２と同様に、サーバ本体３０、ディスプレイ３１、および入力装置３２などによって構成される。
【００４４】
サーバ本体３０は、図４に示したサーバ本体２０と同様に、ＣＰＵ、ＲＡＭ、ＲＯＭ、ハードディスク、グラフィックボード、入出力インタフェース、およびネットワークインタフェースなどによって構成される。サーバ本体３０を構成する各装置の役割は、サーバ本体２０を構成する各装置の役割と基本的に同じである。ただし、ハードディスクには、図６に示すような画像ログデータ受信部３０１、画像ログデータ保存部３０２、画像一覧画面表示処理部３０３、属性ログデータ取得部３０４、および属性ログ表示処理部３０５などを実現するためのプログラムが記憶されている。これらのプログラムは、必要に応じてＲＡＭにロードされ、ＣＰＵによって実行される。
【００４５】
次に、図３に示す画像形成装置１の各部、図５に示すジョブ属性ログサーバ２の各部、および図６に示すジョブ画像ログサーバ３の各部の処理内容などについて、詳細に説明する。
【００４６】
〔ジョブのログを記録するための処理〕
図７は属性ログデータ６１および画像ログデータ６２のやり取りの例を示す図、図８は属性ログデータ６１に記載される属性情報の例を示す図である。
【００４７】
図３において、ジョブを実行するごとに、画像形成装置１の属性ログデータ生成部１０１は属性ログデータ６１を生成し、画像ログデータ生成部１０２は画像ログデータ６２を生成する。
【００４８】
具体的には、コピーのジョブを実行した場合は、画像ログデータ生成部１０２は、スキャンした画像つまりコピーの対象の画像の画像データを必要に応じて特定のフォーマット（例えば、ＧＩＦ（Graphics Interchange Format）、ＴＩＦＦ（Tagged Image File Format）、またはＪＰＥＧ（Joint Photographic Experts Group）など）のデータに変換するなどして、画像ログデータ６２を生成する。さらに、画像ログデータ生成部１０２は、生成した画像ログデータ６２に、他の画像ログデータ６２と区別するための画像ＩＤを付ける。画像ＩＤを付ける点は、後述するスキャンのジョブの場合およびＰＣプリントのジョブの場合においても、同様である。なお、画像ＩＤに、ジョブを実行した画像形成装置１の識別子を含めてもよい。そうすれば、ある画像形成装置１で生成された画像ログデータ６２を、その画像ＩＤのみによって、その画像形成装置１で生成された他の画像ログデータ６２だけでなく他の画像形成装置１で生成された他の画像ログデータ６２とも区別することができる。
【００４９】
一方、属性ログデータ生成部１０１は、図８（ａ）に示すような属性ログデータ６１を生成する。「ユーザＩＤ」は、そのジョブの指令を与えたユーザのユーザＩＤである。「ＭＦＰ−ＩＤ」は、そのジョブを実行した画像形成装置１自身の識別子である。ＭＦＰ−ＩＤとして、例えばＩＰ（Internet Protocol）アドレスまたはＭＡＣ（Media Access Control）アドレスが用いられる。「実行日時」は、そのジョブを実行した日時である。「部数」は、そのジョブにおいてコピーした部数である。「画像ＩＤ」は、画像ログデータ生成部１０２によって生成された画像ログデータ６２の画像ＩＤである。
【００５０】
属性ログデータ６１の記述のフォーマットとして、例えばＸＭＬ（Extensible Markup Language）が用いられる。
【００５１】
または、スキャンのジョブを実行した場合は、画像ログデータ生成部１０２は、スキャンした画像の画像データを必要に応じて特定のフォーマットのデータに変換するなどして、画像ログデータ６２を生成する。
【００５２】
一方、属性ログデータ生成部１０１は、図８（ｂ）に示すような属性ログデータ６１を生成する。「ユーザＩＤ」、「ＭＦＰ−ＩＤ」、「実行日時」、および「画像ＩＤ」の意味は、図８（ａ）に示したユーザＩＤ、ＭＦＰ−ＩＤ、実行日時、および画像ＩＤそれぞれの意味と同じである。「送信先」は、スキャンした画像の画像データの送信先である。例えば、画像データを電子メールに添付して送信した場合は送信先として電子メールアドレスが示され、ＦＴＰ（File Transfer Protocol）で送信した場合はＩＰアドレスが示される。または、画像データを、送信する代わりにボックスに保存した場合は、保存先のボックスの識別子（例えば、ボックス名）が示される。
【００５３】
または、ＰＣプリントのジョブを実行した場合は、画像ログデータ生成部１０２は、パーソナルコンピュータ４から送信されてきた、印刷対象の画像の画像データを、必要に応じて特定のフォーマットのデータに変換するなどして、画像ログデータ６２を生成する。
【００５４】
一方、属性ログデータ生成部１０１は、図８（ｃ）に示すような属性ログデータ６１を生成する。「ユーザＩＤ」、「ＭＦＰ−ＩＤ」、「実行日時」、および「画像ＩＤ」の意味は、図８（ａ）に示したユーザＩＤ、ＭＦＰ−ＩＤ、実行日時、および画像ＩＤそれぞれの意味と同じである。「部数」は、印刷した部数である。「指令元」は、そのジョブの指令のデータの送信元であるパーソナルコンピュータ４の識別子（例えば、ＩＰアドレス）である。
【００５５】
このように、ジョブで取り扱われた画像の画像ログデータ６２にも、そのジョブの属性ログデータ６１にも、共通の画像ＩＤが付される。
【００５６】
属性ログデータ保存部１０３には、属性ログデータ生成部１０１によって生成された属性ログデータ６１が一時的に保存される。
【００５７】
属性ログデータ送信部１０４は、定期的に（例えば、毎日の所定の時刻に）、属性ログデータ保存部１０３に保存されている属性ログデータ６１を纏めてジョブ属性ログサーバ２へ送信する。送信された属性ログデータ６１は、属性ログデータ保存部１０３から削除される。ただし、後述するように、ジョブ属性ログサーバ２からの要求に応じて属性ログデータ６１を送信する場合がある。
【００５８】
画像ログデータ送信部１０５は、画像ログデータ生成部１０２によって画像ログデータ６２が生成されると直ちにその画像ログデータ６２をジョブ画像ログサーバ３へ送信する。
【００５９】
つまり、画像形成装置１は、画像ログデータ６２については生成するごとに直ちにジョブ画像ログサーバ３へ送信し（図７の丸数字１）、属性ログデータ６１については一定の期間中に生成した分を纏めてジョブ属性ログサーバ２へ送信する（丸数字２）。画像ログデータ６２を直ちに送信するのは、大容量記憶装置１０ｄの節約のためである。一方、属性ログデータ６１は、大容量記憶装置１０ｄの容量に対して非常に小さいので、大容量記憶装置１０ｄの節約よりも通信の効率に鑑み、所定の期間分を纏めて送信する。
【００６０】
図５において、ジョブ属性ログサーバ２の属性ログデータ受信部２０１は、画像形成装置１からの属性ログデータ６１を受信する。受信された属性ログデータ６１は、属性ログデータ保存部２０２に保存される。つまり、属性ログデータ保存部２０２は、属性ログデータ６１のデータベースの役割を果たす。
【００６１】
図６において、ジョブ画像ログサーバ３の画像ログデータ受信部３０１は、画像形成装置１からの画像ログデータ６２を受信する。受信された画像ログデータ６２は、画像ログデータ保存部３０２に保存される。つまり、画像ログデータ保存部３０２は、画像ログデータ６２のデータベースの役割を果たす。
【００６２】
〔ジョブのログをユーザに参照させるための処理〕
図９は画像一覧画面ＷＮ１の例を示す図、図１０は詳細ログ画面ＷＮ２の例を示す図である。
【００６３】
図６において、ジョブ画像ログサーバ３の画像一覧画面表示処理部３０３は、図９のような画像一覧画面ＷＮ１をジョブ画像ログサーバ３自身のディスプレイに表示する処理を、属性ログデータ取得部３０４と連携して行う。
【００６４】
属性ログ表示処理部３０５は、図１０のような詳細ログ画面ＷＮ２をジョブ画像ログサーバ３自身のディスプレイに表示する処理を行う。
【００６５】
ここで、画像一覧画面表示処理部３０３、属性ログデータ取得部３０４、および属性ログ表示処理部３０５の処理内容について、詳細に説明する。
【００６６】
ユーザがジョブ画像ログサーバ３に対して所定のコマンドを入力すると、画像一覧画面表示処理部３０３は、画像一覧画面ＷＮ１を表示する。
【００６７】
画像一覧画面表示処理部３０３は、画像一覧画面ＷＮ１に、画像ログデータ保存部３０２に画像ログデータ６２が保存されている各画像を、縮小して（つまり、サムネイル画像として）配置する。画像ログデータ６２が多数ある場合は、全部の画像を配置せず一部の画像を配置する。そして、「次頁」ボタンが押されるごとに、交代々々に残りの画像を順次配置する。
【００６８】
さらに、各画像に対応して「ログ情報」ボタンを配置する。「ログ情報」ボタンが押されると、属性ログ表示処理部３０５は、それに対応する画像が用いられたジョブに関する情報を示す詳細ログ画面ＷＮ２を、その画像の属性ログデータ６１に基づいて表示させる。
【００６９】
ただし、属性ログデータ６１が属性ログデータ取得部３０４によって未だ受信されていない画像の「ログ情報」ボタンは、画像一覧画面ＷＮ１に配置しない。または、選択できないような形態で（例えば、いわゆるグレー表示の形態で）配置する。そして、属性ログデータ６１が受信されたら、それに係る画像に対応する「ログ情報」ボタンを、選択可能な形態で配置する。
【００７０】
属性ログデータ取得部３０４は、画像一覧画面ＷＮ１に配置される各画像の属性ログデータ６１をジョブ属性ログサーバ２に対して要求し（図７の丸数字３）、取得する（丸数字４、７）。要求する際に、各画像の画像ＩＤをジョブ属性ログサーバ２に通知する。
【００７１】
ジョブ属性ログサーバ２において、ジョブ画像ログサーバ３からの要求を受け付けられると、属性ログデータ配信部２０３（図５参照）は、要求された属性ログデータ６１（つまり、ジョブ画像ログサーバ３から通知された画像ＩＤを示す属性ログデータ６１）を属性ログデータ保存部２０２から読み出し、ジョブ画像ログサーバ３へ配信する（丸数字４）。
【００７２】
しかし、配信すべき属性ログデータ６１が未だ属性ログデータ保存部２０２に保存されていない場合がある。この場合は、属性ログデータ配信部２０３は、読み出すことができた属性ログデータ６１を先にジョブ画像ログサーバ３へ配信する。一方、属性ログデータ要求部２０４は、配信すべき属性ログデータ６１のうちの、未だ属性ログデータ保存部２０２に保存されていない属性ログデータ６１を、画像形成装置１に対して要求し（丸数字５）、取得する（丸数字６）。要求先の画像形成装置１は、その属性ログデータ６１の「ＭＦＰ−ＩＤ」を参照すれば分かる。この際に、属性ログデータ要求部２０４は、要求の対象の属性ログデータ６１の画像ＩＤを通知する。
【００７３】
画像形成装置１において、属性ログデータ送信部１０４（図３参照）は、要求された属性ログデータ６１を属性ログデータ保存部１０３から読み出し、ジョブ属性ログサーバ２へ送信する。送信された属性ログデータ６１は、属性ログデータ保存部１０３から削除される。
【００７４】
そして、ジョブ属性ログサーバ２において、属性ログデータ６１が属性ログデータ受信部２０１によって受信され属性ログデータ保存部２０２に保存されると（丸数字６）、属性ログデータ配信部２０３は直ちにその属性ログデータ６１をジョブ画像ログサーバ３へ配信する（丸数字７）。
【００７５】
このように、ジョブ属性ログサーバ２は、要求された属性ログデータ６１のうち、既に自らが保存しているものを先にジョブ画像ログサーバ３へ送信するとともに、未だ保存していないものを画像形成装置１へ要求する。そして、未だ保存していない属性ログデータ６１が画像形成装置１から得られたら、ジョブ画像ログサーバ３へ送信する。
【００７６】
なお、上述の例では、ジョブ画像ログサーバ３のディスプレイ３１に画像一覧画面ＷＮ１および詳細ログ画面ＷＮ２を表示したが、ユーザがパーソナルコンピュータ４を用いて遠隔的にジョブ画像ログサーバ３を操作できるようにし、パーソナルコンピュータ４のディスプレイに表示するようにしてもよい。
【００７７】
図１１は画像形成装置１の全体的な処理の流れの例を説明するためのフローチャート、図１２はジョブ属性ログサーバ２の全体的な処理の流れの例を説明するためのフローチャート、図１３はジョブ画像ログサーバ３の全体的な処理の流れの例を説明するためのフローチャートである。
【００７８】
次に、画像形成装置１、ジョブ属性ログサーバ２、およびジョブ画像ログサーバ３の全体的な処理の手順を、図１１〜図１３を参照しながら説明する。
【００７９】
画像形成装置１は、イベントが生じるごとに、図１１に示す処理を、そのイベントに応じて適宜実行する。ジョブを実行した場合は（＃１２１でＹｅｓ）、そのジョブで取り扱った画像の画像ログデータ６２を生成し（＃１２２）、それをジョブ画像ログサーバ３へ送信する（＃１２３）。さらに、そのジョブの属性ログデータ６１を生成し（＃１２４）、一時的に属性ログデータ保存部１０３に保存する（＃１２５）。
【００８０】
または、所定の時刻になったことを検知した場合は（＃１２６でＹｅｓ）、属性ログデータ保存部１０３に保存（蓄積）されている属性ログデータ６１をジョブ属性ログサーバ２へ送信する（＃１２７）。
【００８１】
または、ジョブ属性ログサーバ２から属性ログデータ６１を要求された場合は（＃１２８でＹｅｓ）、要求された属性ログデータ６１をジョブ属性ログサーバ２へ送信する（＃１２９）。
【００８２】
なお、ステップ＃１２７、＃１２９で送信に成功したら、画像形成装置１は、送信した属性ログデータ６１を属性ログデータ保存部１０３から削除する。
【００８３】
ジョブ属性ログサーバ２は、イベントが生じるごとに、図１２に示す処理を、そのイベントに応じて適宜実行する。上述の通り、属性ログデータ６１は、定期的に送信されてくることもあれば、ジョブ属性ログサーバ２の要求に応じて送信されてくることもある。定期的に送信されてきた場合は（＃２２１でＹｅｓ）、ジョブ属性ログサーバ２は、送信されてきた属性ログデータ６１を属性ログデータ保存部２０２に保存する（＃２２２）。
【００８４】
または、ジョブ画像ログサーバ３から属性ログデータ６１を要求された場合は（＃２２３でＹｅｓ）、要求された属性ログデータ６１を属性ログデータ保存部２０２から読み出すことを試みる（＃２２４）。
【００８５】
読み出すことができた属性ログデータ６１については（＃２２５でＹｅｓ）、直ちにジョブ画像ログサーバ３へ送信する（＃２２６）。
【００８６】
一方、読み出すことができなかった属性ログデータ６１つまり未だ属性ログデータ保存部２０２に保存されていない属性ログデータ６１については（＃２２５でＮｏ）、画像形成装置１に対して要求し受信する（＃２２７）。そして、受信した属性ログデータ６１をジョブ画像ログサーバ３へ送信するとともに（＃２２８）、属性ログデータ保存部２０２に保存する（＃２２９）。
【００８７】
ジョブ画像ログサーバ３は、イベントが生じるごとに、図１３に示す処理を、そのイベントに応じて適宜実行する。画像ログデータ６２を受信した場合は（＃３２１でＹｅｓ）、受信した画像ログデータ６２を画像ログデータ保存部３０２に保存する（＃３２２）。
【００８８】
または、画像の一覧の表示のための所定のコマンドが入力された場合は（＃３２３でＹｅｓ）、画像ログデータ保存部３０２に画像ログデータ６２が保存されている画像ごとの属性ログデータ６１をジョブ属性ログサーバ２に対して要求するとともに（＃３２４）、縮小した各画像およびそれぞれに対応する「ログ情報」ボタンを配置した画像一覧画面ＷＮ１（図９参照）を表示する（＃３２５）。
【００８９】
ただし、一度にすべての画像を配置しきれない場合は、配置可能な個数分ずつにグループ分けして、１グループ分の画像および「ログ情報」ボタンを配置する。また、未だ属性ログデータ６１が受信されていない画像の「ログ情報」ボタンは配置しない。または、いわゆるグレー表示のような選択できない形態で配置する。
【００９０】
そして、属性ログデータ６１を受信したら（＃３２６でＹｅｓ）、その属性ログデータ６１に対応する画像の「ログ情報」ボタンを、画像一覧画面ＷＮ１に配置しまたはグレー表示の状態を解除するなどして、選択可能にする（＃３２７）。
【００９１】
または、「ログ情報」ボタンが押された場合は（＃３２８でＹｅｓ）、それに対応する画像およびその画像が用いられた際のジョブの情報を示す詳細ログ画面ＷＮ２（図１０参照）を、その画像の属性ログデータ６１および画像ログデータ６２に基づいて表示する（＃３２９）。
【００９２】
または、「次頁」ボタンまたは「前頁」ボタンが押された場合は（＃３３０でＹｅｓ）、画像一覧画面ＷＮ１を、現在配置している画像から他の画像に代えて表示し直す（＃３２５）。具体的には、「前頁」ボタンが押された場合は、直前に配置していたグループの画像をもう一度配置して画像一覧画面ＷＮ１を表示し直す。一方、「次頁」ボタンが押された場合は、次のグループの画像を配置して画像一覧画面ＷＮ１を表示し直す。なお、配置する画像の属性ログデータ６１を未だ受信していない場合は、その属性ログデータ６１をジョブ属性ログサーバ２に対して要求し（＃３２４）、受信後に（＃３２６でＹｅｓ）、選択可能な状態でその画像に対応する「ログ情報」ボタンを配置する（＃３２７）。
【００９３】
本実施形態によると、ユーザは、画像を取り扱うジョブのログを従来よりも便利に確認することができる。
【００９４】
本実施形態では、ジョブ画像ログサーバ３は、画像一覧画面ＷＮ１に配置する対象になったグループに属する画像ごとの属性ログデータ６１をジョブ属性ログサーバ２から適宜受信したが、すべての属性ログデータ６１を一度に纏めて受信するようにしてもよい。
【００９５】
本実施形態では、画像一覧画面ＷＮ１および詳細ログ画面ＷＮ２をジョブ画像ログサーバ３のディスプレイ３１またはパーソナルコンピュータ４のディスプレイに表示したが、画像形成装置１のタッチパネル１０ｈに表示するようにしてもよい。
【００９６】
その他、ネットワークシステムＳＹ、画像形成装置１、ジョブ属性ログサーバ２、ジョブ画像ログサーバ３の全体または各部の構成、処理内容、処理順序、データの構成などは、本発明の趣旨に沿って適宜変更することができる。
【符号の説明】
【００９７】
１  画像形成装置（画像処理装置）
１０４  属性ログデータ送信部（属性データ保存処理手段）
１０５  画像ログデータ送信部（画像データ保存処理手段）
２  ジョブ属性ログサーバ（第三の装置）
２０２  属性ログデータ保存部（属性データ保存手段）
２０４  属性ログデータ要求部（属性データ要求手段）
３  ジョブ画像ログサーバ（第二の装置、表示システム）
３１  ディスプレイ（表示手段）
３０１  画像ログデータ受信部（データ取得手段）
３０２  画像ログデータ保存部（画像データ保存手段）
３０３  画像一覧画面表示処理部（表示手段）
３０４  属性ログデータ取得部（属性データ取得手段、データ取得手段）
３０５  属性ログ表示処理部（表示手段）
６１  属性ログデータ（属性データ）
６２  画像ログデータ（画像データ）
ＳＹ  ネットワークシステム（ログ管理システム）
ＷＮ１  画像一覧画面
ＷＮ２  詳細ログ画面
【図１】
2010267066.tif 000003
【図２】
2010267066.tif 000004
【図３】
2010267066.tif 000005
【図４】
2010267066.tif 000006
【図５】
2010267066.tif 000007
【図６】
2010267066.tif 000008
【図７】
2010267066.tif 000009
【図８】
2010267066.tif 000010
【図９】
2010267066.tif 000011
【図１０】
2010267066.tif 000012
【図１１】
2010267066.tif 000013
【図１２】
2010267066.tif 000014
【図１３】
2010267066.tif 000015